(57)【要約】      （修正有）【課題】スクリーンにおいて必要な度合いの水平テンションを維持可能であると共にブラインドの適切なプリーツ折り及び伸長動作を助ける、格納式ブラインド用のスクリーンテンション機構及びシステムを提供する。【解決手段】このスクリーンテンション機構は、ヘッド部及び弾性変形可能なテール部を有する突出部材と、ハウジング部材であって、支持ロッドの端部を受けるように構成された第１開口と、前記テール部を内方に偏向させることにより、前記テール部を強制的に受け取るように構成されたテーパー状内部形状を有する第２開口とを備えるハウジング部材とを備えることを特徴とする。【選択図】図１Ａ
0003171835.tif 000002
【実用新案登録請求の範囲】
【請求項１】
格納式ブラインドに使用するためのスクリーンテンション機構であって、
（ａ）ヘッド部及び弾性変形可能なテール部を有する突出部材と、
（ｂ）ハウジング部材であって、
（ｉ）支持ロッドの端部を受けるように構成された第１開口と
（ｉｉ）前記テール部を内方に偏向させることにより、前記テール部を強制的に受けるように構成されたテーパー状内部形状を有する第２開口と、を備えるハウジング部材と、
を備え、
使用時に、前記弾性変形可能なテール部が、前記支持ロッドから軸方向外方に前記突出部材を付勢することを特徴とするスクリーンテンション機構。
【請求項２】
前記ヘッド部及び前記テール部は一体形成されていることを特徴とする請求項１記載のスクリーンテンション機構。
【請求項３】
前記テール部は前記ヘッド部に脱着可能に取り付けられていることを特徴とする請求項１記載のスクリーンテンション機構。
【請求項４】
前記テール部は、所定長の弾性変形物質を備えることを特徴とする請求項３記載のスクリーンテンション機構。
【請求項５】
前記テール部は、前記ヘッド部から延びる少なくとも２つのレッグを備えることを特徴とする請求項１記載のスクリーンテンション機構。
【請求項６】
前記レッグは、互いからそれるように前記ヘッド部から延びることを特徴とする請求項５記載のスクリーンテンション機構。
【請求項７】
前記テーパー状内部形状は、互いに集束し且つ使用時に前記レッグに係合すると共に前記レッグを内方に偏向させる対向内面の第１対を備えることを特徴とする請求項５記載のスクリーンテンション機構。
【請求項８】
前記対向内面の第１対は、５度から２５度の範囲にある所定の角度分離を実質的に有することを特徴とする請求項７記載のスクリーンテンション機構。
【請求項９】
前記テーパー状内部形状は、前記対向内面の第１対と異なる所定の角度分離を有する、対向内面の第２対をさらに備えることを特徴とする請求項７記載のスクリーンテンション機構。
【請求項１０】
前記第２開口は、使用時に前記突出部材の回転運動を規制するガイド手段をさらに備えることを特徴とする請求項１記載のスクリーンテンション機構。
【請求項１１】
前記ガイド手段は、少なくとも１つの長手スロットを備え、前記スロットは、前記突出部材の外面上の突起をスライド式に受けるように構成されていることを特徴とする請求項１０記載のスクリーンテンション機構。
【請求項１２】
前記突出部材が前記ハウジング部材から押し出されることを防止するように、前記突起は前記スロットに係合可能であることを特徴とする請求項１１記載のスクリーンテンション機構。
【請求項１３】
前記第２開口は、前記ハウジング部材から前記テール部が押し出されることを防止するように、前記突出部材に係合可能な内方リップをさらに備えることを特徴とする請求項１記載のスクリーンテンション機構。
【請求項１４】
格納式ブラインドに使用するためのスクリーンテンションシステムであって、
（ａ）格納式スクリーンのポケット内に挿入するための支持ロッドと、
（ｂ）一対の請求項１記載のスクリーンテンション機構であって、前記支持ロッドの両端に配置される一対のスクリーンテンション機構と、を備え、
使用時に、前記一対のスクリーンテンション機構の各々の前記ヘッド部が、前記格納式スクリーンの前記ポケットに対向する張力を伝達することを特徴とするスクリーンテンションシステム。
【請求項１５】
前記一対のスクリーンテンション機構の各々の前記ヘッド部が、前記ポケットの内側壁に、対向する張力を伝達することを特徴とする請求項１４記載のスクリーンテンションシステム。
【請求項１６】
格納式ブラインドに使用するためのスクリーンテンションシステムであって、
（ａ）ヘッド部及び弾性変形可能なテール部を有する突出部材と、
（ｂ）ハウジング部材を備える支持ロッドであって、前記ハウジング部材は、前記テール部を内方に偏向させることで前記テール部を強制的に受けるように構成されたテーパー状内部形状を有する開口を備える、支持ロッドと、を備え、
使用時に、前記弾性変形可能なテール部が、前記支持ロッドから軸方向外方に前記突出部材を付勢することを特徴とするスクリーンテンションシステム。
【請求項１７】
前記支持ロッド及び前記ハウジング部材が一体形成されていることを特徴とする請求項１６記載のスクリーンテンションシステム。
【請求項１８】
格納式ブラインドに使用するためのスクリーンテンション機構であって、
（ａ）ヘッド部及び弾性変形可能なテール部を有する突出部材と、
（ｂ）ハウジング部材であって、
（ｉ）支持ロッドの開口内に挿入されるように構成された端部と、
（ｉｉ）前記テール部を内方に偏向させることで前記テール部を強制的に受けるように構成されたテーパー状内部形状を有する開口と、備えるハウジング部材と、
を備え、
使用時に、前記弾性変形可能なテール部が、前記支持ロッドから軸方向外方に前記突出部材を付勢することを特徴とするスクリーンテンション機構。
【請求項１９】
ハウジング部材を備えるスクリーンテンション機構のための支持ロッドであって、
前記ハウジング部材はテーパー状内部形状を有する開口を備え、
前記開口は、当該支持ロッドから軸方向外方に前記突出部材を付勢するように、突出部材の弾性変形可能なテール部を強制的に受けるように構成されていることを特徴とする支持ロッド。
【請求項２０】
スクリーンテンション機構のための突出部材であって、
（ａ）ヘッド部と、
（ｂ）弾性変形可能なテール部と、を備え、
前記テール部は、支持ロッドから軸方向外方に前記突出部材を付勢するように、前記支持ロッドのハウジング部材の開口内に挿入されるように構成されていることを特徴とする突出部材。
【考案の詳細な説明】
【技術分野】
【０００１】
本考案は、一般にスクリーンテンション（張力）システムに関し、特には、格納式ブラインド用のスクリーンテンション機構に関する。発明は、ファブリック（布）から大部分が構成されるローマンブラインドに関して特に有用である。しかしながら、より広域な利用及び使用を意図していることを理解すべきである。
【背景技術】
【０００２】
ブラインド（特にはローマンブラインド）の機能的及び装飾的使用は、ガラス窓が建築物に利用できない時代である２千年前に遡る。現代では、住宅及び商業的環境を覆うブラインド及び窓の使用は、当たり前のことである。
【０００３】
ローマンブラインドは、大部分が柔らかいファブリック（布）素材から構成され、ブラインドが上げられると、プリーツ（ひだ）に纏められる。コードが一般的にダウエルロッド又はスラット（細い薄板）に接続される。ダウエル（だぼ）ロッド又はスラットは、ブラインドが上がるとファブリックをプリーツ（ひだ）折りすることを助けると共に、ブラインドが下がるとファブリックを延ばすことを助けるように、ファブリック素材に、又は、その中に取り付けられる。現在のローマンブラインド構造、特には、柔らかいファブリック素材を内包するブラインドでは、ブラインドが上がると所望の規則的なプリーツを形成するように、ファブリックを通して水平に配向されたダウエルロッド又はスラットを使用することが一般的になっている。しかしながら、ダウエルロッド及びスラットのような支持部材の使用は、所望の度合いのファブリックのテンション、及び、ファブリック結果物の不規則なプリーツ若しくは折り目を形成することにおいて、しばしば、役に立たない。このような望ましくない結果は、ブラインドの繰り返し動作の後により顕著になる。
【考案の概要】
【考案が解決しようとする課題】
【０００４】
これらの制限の点で、スクリーンにおいて必要な度合いの水平テンションを維持可能であると共にブラインドの適切なプリーツ折り及び伸長動作を助ける、格納式ブラインド用のスクリーンテンション機構及びシステムが必要とされている。
【０００５】
知識の文献、行為又は項目が参照又は説明される明細書では、この参照又は説明は、知識の文献、行為若しくは項目又はこれらの組み合わせが、優先日の時点で、公知公用となっていること、一般的な知識の一部となったこと、又は、本明細書が関連するいずれの問題を解決する試みに関連して知られたことを、自白するものではない。
【課題を解決するための手段】
【０００６】
本考案の実施例に対応して、格納式ブラインドに使用するためのスクリーンテンション機構が提供される。
このスクリーンテンション機構は、
（ａ）ヘッド部及び弾性変形可能なテール部を有する突出部材と、
（ｂ）ハウジング部材であって、
（ｉ）支持ロッドの端部を受けるように構成された第１開口と
（ｉｉ）前記テール部を内方に偏向させることで前記テール部を強制的に受け取るように構成されたテーパー状内部形状を有する第２開口と、を備えるハウジング部材と、
を備え、使用時に、前記弾性変形可能なテール部が、前記支持ロッドから軸方向外方に前記突出部材を付勢する。
【０００７】
前記ヘッド部及び前記テール部は一体形成されうる。あるいは、前記テール部は前記ヘッド部に脱着可能に取り付けられてもよい。さらに、前記テール部は、例えば、ストリップスチールのような、所定長の弾性変形可能な物質を備える。
【０００８】
好ましくは、前記テール部は、前記ヘッド部から延びる少なくとも２つのレッグを備え、  これらレッグは、互いからそれる（分かれる）ように前記ヘッド部から延びる。本考案の一実施形態では、２つのレッグがヘッド部から延び、且つ、レッグが分岐するときに、それぞれ最初の直線に続く緩やかなカーブを含む。湾曲部で形成されるレッグの分岐は、第２開口のテーパー状内部形状へのレッグのより早い係合を可能にすることによって、突出部材の付勢を改善する。
【０００９】
ヘッド部及びレッグ部は一体形成可能である。プラスチックの射出成形のような従来の製造技術の使用を通して、少なくとも突出部材が１つのピースとして形成可能である場合に、有利である。
【００１０】
前記テーパー状内部形状は、使用時に前記レッグに係合すると共に前記レッグを内方に偏向させる対向内面の第１対を備える。この対向内面の第１対は、互いに対して集束（近接）し、また、所定の角度分離（角距離）（ａｎｇｕｌａｒ  ｓｅｐａｒａｔｉｏｎ）を有しうる。前記対向内面の第１対は、５度から２５度の範囲にある所定の角度分離を有する。本考案の好適な実施形態では、所定の角度分離は約１０度又は約１４度である。対向内面の所定の角度分離を増加させることにより、突出部材に付加される付勢力を増加させることが可能である。ブラインドの寸法及び／又は使用されるスクリーン素材の重量に応じて突出部材に適用される付勢力を増加させることは有用であり、結果として、スクリーンに適用可能な張力（ｔｅｎｓｉｏｎｉｎｇ  ｆｏｒｃｅ）を増加させる。
【００１１】
本発明の各実施形態では、テーパー状内部形状は、対向内面の第１対と異なる所定の角度分離を有する対向内面の第２対をさらに備える。有利には、弱いテンション（張力）配向（ｔｅｎｓｉｏｎ  ｏｒｉｅｎｔａｔｉｏｎ）又は強いテンション配向のいずれかにおいて、第２開口によって強制的に突出部材のテール部を受けることが可能である。弱い又は強いテンション配向は、対向面の第１対又は第２対のいずれかへのレッグの係合に対応する。対向面の第１対及び対向面の第２対の所定の角度分離は異なるので、これら対の１つは、突出部材へのより弱い付勢力を提供し、そして、スクリーンにより弱い張力を提供する。
【００１２】
前記第２開口は、使用時に前記突出部材の回転運動を規制するガイド手段をさらに備える。前記ガイド手段は、レッグの少なくとも１つをスライド式に受ける１又は複数のＵ字形状の溝を備えうる。本考案の一実施形態では、ガイド手段は、２対の対向するＵ形状溝（すなわち、第２開口の両側に）を備え、これは弱い張力又は強いテンション配向のいずれかにおいて突出部材のテール部の挿入を容易にする。１以上のレッグ周囲のＵ形状溝の配置は、優位的に、突出部材の回転を防止し、これによって、レッグが対向面の第１対又は対向面の第２対のいずれかへの係合すること（又は少なくともスライド可能な配向で）の維持を確保する。
【００１３】
前記レッグの少なくとも１つは、ハウジング部材に係合可能な外面上に突起を備え、テール部がハウジング部材から押し出される（外れる）のを防止する。
【００１４】
別の実施形態では、ガイド手段は、突出部材の外面の突起をスライド式に受ける、少なくとも１つの長手スロットを備える。本発明の実施形態に従い、ガイド手段は、（例えば、第２開口の反対側に）一対の対向する長手スロットを備え、突出部材の対向する（両側の）外面上の対応する一対の突起をスライド式に受ける。突起の各々は、スロットの各々に係合し、突出部材がハウジング部材から押し出されるのを防止する。スロット内への突起の配置は、有利的に突出部材の回転を防止し、これによって、レッグが、対向面の第１対又は対向面の第２対のいずれかに係合された（又は少なくともスライド可能に配向（配列）された）状態を維持することを確実にする。
【００１５】
さらに、第２開口は、突出部材に係合可能な内方リップを備えることができ、テール部がハウジング部材から押し出されるのを防止することができる。有利的には、レッグの外面上の突起と第２開口の内方リップとの間の摩擦係合は、テール部が押し出されること、又は、ハウジング部材から単純に自由に脱落することを防止するのに十分である。
【００１６】
本考案のさらに別実施例によれば、格納式ブラインドに使用されるスクリーンテンションシステムを提供する。このスクリーンテンションシステムは、
（ａ）格納式スクリーンのポケットに挿入するための支持ロッドと、
（ｂ）一対の請求項１記載のスクリーンテンション機構であって、前記支持ロッドの両端に配置される一対のスクリーンテンション機構と、を備え、
使用時に、前記一対のスクリーンテンション機構の各々の前記ヘッド部が、前記格納式スクリーンの前記ポケットに対向する張力を伝達することを特徴とする。
【００１７】
好ましくは、前記一対のスクリーンテンション機構の各々の前記ヘッド部が、前記ポケットの内側壁に、対向する張力を伝達する。スクリーンテンションシステムは、支持ロッド及びテンション機構の対を固定するように、少なくとも２つの側壁を有するスクリーンのポケット内に提供される。支持ロッドの大きさ（寸法）及び長さは、好ましくは、スクリーンの重量及び幅に応じて選択される。使用時には、テンション機構の対のヘッド部は、対向（両側）方向に、支持ロッドから軸方向外側に付勢される。有利的には、テンション機構の対間の支持ロッドの配置によって、スクリーン内の水平張力（テンション）の所定の度合いを生成し、スクリーンの適切なプリーツ折り動作を助ける。スクリーンは、好ましくは、ファブリックから構成され、さらに好ましくは、スクリーンが上がると柔らかいプリーツを形成する傾向を有する、柔軟なファブリック素材から構成される。
【００１８】
本考案のさらなる実施例によれば、格納式ブラインドに使用するためのスクリーンテンションシステムが提供される。スクリーンテンションシステムは、
（ａ）ヘッド部及び弾性変形可能なテール部を有する突出部材と、
（ｂ）ハウジング部材を備える支持ロッドであって、前記ハウジング部材は、前記テール部を内方に偏向させることで前記テール部を強制的に受けるように構成されたテーパー状内部形状を有する開口を備える、支持ロッドと、を備え、
使用時に前記弾性変形可能なテール部が前記突出部材を前記支持ロッドから軸方向外方に付勢することを特徴とする。
【００１９】
ハウジング部材は、支持ロッドの開口内に受けられるように構成された端部を有する分離したユニットであってもよい。あるいは、支持ロッド及びハウジング部材は、一体形成されてもよい。本考案の実施形態では、ハウジング部材のテーパー状内部形状が支持ロッドの製造中に形成されることが望ましい。
【００２０】
本考案のさらに別の実施例によれば、格納式ブラインドに使用するためのスクリーンテンション機構が提供される。このスクリーンテンション機構は、
（ａ）ヘッド部及び弾性変形可能なテール部を有する突出部材と、
（ｂ）ハウジング部材であって、
（ｉ）支持ロッドの開口内に挿入されるように構成された端部と、
（ｉｉ）前記テール部を内方に偏向させることで前記テール部を強制的に受けるように構成されたテーパー状内部形状を有する開口と、備えるハウジング部材と、
を備え、
使用時に前記弾性変形可能なテール部が前記突出部材を前記支持ロッドから軸方向外方に付勢することを特徴とする。
【００２１】
使用時に、ハウジング部材が支持ロッド内に実質的に包含されるように、ハウジング部材の端部が支持ロッドの開口内に挿入されるように構成されてもよい。
【００２２】
本考案のさらに別実施例によれば、ハウジング部材を備えるスクリーンテンション機構のための支持ロッドであって、前記ハウジング部材はテーパー状内部形状を有する開口を備え、前記開口は、前記支持ロッドから軸方向外方に前記突出部材を付勢するように、突出部材の弾性変形可能なテール部を強制的に受けるように構成されていることを特徴とする支持ロッドが提供される。
【００２３】
本考案のさらに別実施例によれば、スクリーンテンション機構のための突出部材であって、
（ａ）ヘッド部と、
（ｂ）弾性変形可能なテール部と、
を備え、
前記支持ロッドから軸方向外方に前記突出部材を付勢するように、前記テール部が前記支持ロッドのハウジング部材の開口内に挿入されるように構成されていることを特徴とする突出部材が提供される。
【図面の簡単な説明】
【００２４】
【図１Ａ】本考案の代表的な実施形態のスクリーンテンション機構の前方斜視図。
【図１Ｂ】図１Ａのスクリーンテンション機構の後方斜視図。
【図２Ａ】突出部材が弱いテンション配向にある図１Ａのスクリーンテンション機構の前方斜視図。
【図２Ｂ】突出部材が強いテンション配向にある図１Ａのスクリーンテンション機構の前方斜視図。
【図３Ａ】突出部材が弱いテンション配向にある図１Ａのスクリーンテンション機構の側方断面図。
【図３Ｂ】突出部材が強いテンション配向にある図１Ａのスクリーンテンション機構の側方断面図。
【図３Ｃ】突出部材が動作位置にある図１Ａのスクリーンテンション機構の側方断面図。
【図４Ａ】本考案のさらなる実施形態に従う、スクリーンテンション機構の斜視図。
【図４Ｂ】図４Ａのスクリーンテンション機構の側方断面図。
【図５Ａ】本考案のさらなる実施形態に従う、スクリーンテンション機構の斜視図。
【図５Ｂ】図５Ａのスクリーンテンション機構の側方断面図。
【図６Ａ】本考案のさらなる実施形態に従う、スクリーンテンション機構の斜視図。
【図６Ｂ】図６Ａのスクリーンテンション機構の後方斜視図。
【図７Ａ】突出部材が第１テンション配向にある、図６Ａのスクリーンテンション機構の前方斜視図。
【図７Ｂ】突出部材が第１テンション配向にある、図６Ｂのスクリーンテンション機構の後方斜視図。
【図８Ａ】図６Ａのスクリーンテンション機構の側方断面図。
【図８Ｂ】突出部材が動作位置にある図６Ａのスクリーンテンション機構の側方断面図。
【考案を実施するための形態】
【００２５】
スクリーンテンション機構及びシステムの実施形態を、図面を参照して説明する。本考案は、特には、ファブリックから主に構成されているローマンブラインドに関して有用である。したがって、この環境において発明を説明することが便利であろう。しかしながら、本考案はより広い応用及び使用を意図していることを理解すべきである。
【００２６】
図１Ａ及び１Ｂには、本考案の代表的な実施形態であるスクリーンテンション機構１００を示す。スクリーンテンション機構１００は、ヘッド部１０４及び弾性変形可能なテール部１０６を有する突出部材１０２を備える。ヘッド部１０４は、丸形端を有し、ローマンブラインドのファブリックポケット内の機構１００の有効な動作を助ける。機構１００すなわちヘッド部１０４がブラインドのスクリーンへの張力を伝達するように構成されているので、ヘッド部の丸形端は、使用時に、ブラインドに美しい外観を与える。さらに、ヘッド部１０４の丸形端は、ファブリックポケットが張力の結果として裂ける可能性を最小化する。
【００２７】
テール部１０６は、ヘッド部１０４から延びる２つの弾性変形可能なレッグ部１０８を含む。ヘッド部１０４からの最初の延在部では、レッグ１０８はほぼ直線的且つ平行に維持される。そして、レッグ１０８間の隔たりがほぼ平面的であるが、レッグ１０８は互いから外側に湾曲している。本考案の特に好ましい実施形態では、（図示するように）レッグ１０８は、湾曲が始まる点で結合されている。有利には、レッグ１０８間のこの結合は、レッグ１０８の変形範囲に追加の構造的支持及び制限を提供する。
【００２８】
ヘッド部１０４及びテール部１０６は一体形成され、好ましくは、成形技術を使用して塑性材料から製造される。同様な物理的性質を有する代替材料を突出部材１０２の構成に使用可能であるが、塑性材料の柔軟性は、レッグ１０８が弾性変形することを可能にする。
【００２９】
機構１００は、第１開口１１４及び第２開口１１２を有するハウジング部材１１０をさらに備える。第１開口１１４は、支持ロッド（図示せず）の端部を受けるように構成されている。本考案のこの特定の実施形態では、第１開口１１４は、円形支持ロッドを受けるように構成されている。しかしながら、支持ロッドの他の形状を第１開口１１４の適切な適合に使用可能であることを理解すべきである。本考案の実施形態は、６ｍｍ及び８ｍｍの直径を有する支持ロッドに対応するように、様々な寸法のハウジング部材１１０、特には第１開口１１４を画定する。しかしながら、他の寸法もまた適切であることを理解すべきである。好適には、支持ロッドは、軽金属、プラスチック又は木材から形成され、テンション機構の使用時に高い水平剛性をスクリーンに提供可能である。突出部材１０２と同様にハウジング部材１１０は、好ましくは、射出成形技術を使用して塑性材料から製造される。
【００３０】
本考案の別の実施形態では、ハウジング部材１１０は、支持ロッドの開口内に挿入されるように構成された端部（図示せず）を有してもよい。これは、全部ではないがハウジング部材１１０の大部分が、使用中に支持ロッド内に包含されることを許容する。本考案の実施形態では、支持ロッドは、軽金属又は塑性材料から形成された中空シリンダでありうる。ハウジング部材１００を中空支持ロッドの端部内に挿入し、摩擦係合又はハウジング部材状のリップ（へり）のような支持ロッドとの機械的係合によって一部分で保持可能であることが想定される。
【００３１】
さらに別の実施形態では、ハウジング部材１１０は、支持ロッドに一体形成されてもよい。この場合、ハウジング部材１１０のテーパー状内部形状は、好ましくは、支持ロッドの製造中、支持ロッドの１以上の端部に形成される。
【００３２】
ハウジング部材１１０の第２開口１１２は、テール部１０６の弾性変形可能なレッグ１０８を強制的に（又は、押圧して）受け取り、内方に偏向（変位、又は変形）させるように構成されたテーパー状内部形状を有する。テール部１０６のハウジング部材１１０の第２開口１１２への挿入は、図２Ａ及び２Ｂに示すとおり、使用者による力の付加を必要とする。テール部１０６すなわちレッグ１０８が、第２開口１１２内にスライド式に挿入されると、レッグ１０８は、ハウジング部材１１０のテーパー状内部形状に係合する。このテーパー状内部形状は、対向内面１１６の第１対、及び、対向内面１１８の第２対からなる。対向内面１１６の第１対及び対向内面１１８の第２対の各々は、互いに対して集束（接近）し、異なる所定の角度分離（ａｎｇｕｌａｒ  ｓｅｐａｒａｔｉｏｎ）を有する。使用者が突出部材１０２に力を付加すると、弾性変形可能なレッグ１０８の、対向内面１１６の第１対又は対向内面１１８の第２対との係合が、レッグ１０８を曲げると共に内方に偏向させて、テール部１０６がさらにハウジング部材１１０内に挿入される。
【００３３】
対向内面１１６の第１対、又は、対向内面１１８の第２対のいずれかによってレッグ１０８が内方に移動されると、レッグ１０８の弾性は、支持ロッドから軸方向外側に突出部材１０２を付勢する。この付勢によって、ヘッド部１０４が張力をスクリーンのファブリックポケットに伝達することを可能にする。
【００３４】
対向内面１１６の第１対は、所定の角度分離として約１０度を有し、対向内面１１８の第２対は、所定の角度分離として約１４度を有する。対向内面の角度分離が大きいほど、ハウジング部材１１０内にレッグ１０８を挿入し且つ曲げることに必要な力が大きい。したがって、当然、テール部１０６を挿入するのにより大きい力が必要である場合、より大きい付勢力が突出部材１０２のヘッド部１０４に続いて伝達される。こうして、ハウジング部材１１０は、突出部材１０２の２つの異なる配向を可能にする。図２Ａ及び３Ａに示すとおり、突出部材が弱いテンション（張力）配向（ｔｅｎｓｉｏｎ  ｏｒｉｅｎｔａｔｉｏｎ）で挿入されているとき、レッグ１０８は、対向内面１１６の第１対に係合している。対照的に、図２Ｂ及び図３Ｂに示すとおり、突出部材１０２が強いテンション配向で挿入されているとき、レッグ１０８は、対向内面１１８の第２対に係合している。突出部材１０２の配向は、特定の利用の必要性（例えば、スクリーンの寸法及び重量）に応じて使用者によって選択可能である。
【００３５】
弱いテンション配向又は強いテンション配向のいずれかにおいて突出部材１０２の配置を容易にするように、第２開口１１２は、２対の対向するＵ形溝１２０をさらに含む。これら溝１２０の対の各々は、対向内面１１６の第１対、又は、対向内面１１８の第２対の一方に整列（合致）する。溝１２０は、突出部材１０２のレッグ１０８をスライド式に受け取り、それがハウジング部材１１０内に挿入され、使用中に突出部材１０２が回転することを実質的に防止する。突出部材１０２が弱いテンション配向又は強いテンション配向のいずれかの状態を維持することを確実にすることにより、突出部材１０２の回転を防ぐことで定常的な付勢すなわち張力を維持する。
【００３６】
使用者は、レッグ１０８の末端がハウジング部材１１０の内壁１４０に係合する地点まで、あるいは、ヘッド部１０４がハウジング部材１１０に係合及び隣接するまで、ハウジング部材１１０内にテール部１０６を押し込むことが可能である。挿入力が使用者によって引っ込められると、図３Ｃの矢印で示されるように、突出部材１０２に適用された付勢力が、突出部材１０２をハウジング部材１１０から後退させる。レッグ１０８が対向内面によって偏向されなくなる時まで、ハウジング部材１１０からの突出部材１０２の移動又は押し出し（排出）が継続する。
【００３７】
突出部材１０２がハウジング部材１１０から押し出されることを防止するために、機構１００は、突起１３０をレッグ１０８の各々の外面に備え、且つ、ハウジング部材１１０の第２開口１１２に対応する内方リップ１３２を備える。突出部材１０２が製造される塑性材料の柔軟性により、突出部材１０２が、それがハウジング部材１１０内に挿入されると、この内方リップ１３２を通して押圧されることを可能にする。突起１３０及び内方リップ１３２の摩擦的係合が、突出部材１０２がハウジング部材１１０から離脱することを防ぐと共に、設置工程で使用者を補助する。本考案の別の実施形態では、ハウジング部材１１０内の突出部材１０２の保持は、ハウジング部材１１０から突出部材１０２の離脱を防ぐ（要素を製造するのに異なる材料を使用することを通して）より硬質な構造によって確保される。
【００３８】
本考案はまた、適切な指示ロッド、及び、図１Ａから３Ｂに関して説明したような１対のスクリーンテンション機構を含むスクリーンテンションシステムに具現化される。このようなスクリーンテンションシステムでは、スクリーンテンション機構１００は、メカニズム１００の各々の第２開口１１２内に支持ロッドの各端部を挿入することにより、支持ロッドのどちらか一方の端部に配置される。支持ロッドの特定の長さは、ブラインドの幅で決定される。しかしながら、支持ロッドの一方又は両方の端部での機構１００の位置決めに適合するように、この長さはスクリーンの幅よりも短くすべきである。
【００３９】
支持ロッド及びスクリーンテンション機構１００を含むスクリーンテンションシステムは、システムの全長を減少させるように、突出部材１０２の１又は複数に力を付加することにより、スクリーンの水平ファブリックポケット内に挿入可能である。適切な位置において、システムがファブリックポケット内に挿入されると、使用者により突出部材１０２に付加される力を引っ込めることが可能である。この力が後退すると、メカニズム１００の突出部材１０２に付加された付勢力がアセンブリ（組立体）を長くする。好適には、システムは、メカニズム１００のヘッド部１０４がファブリックポケットの側壁に係合するまで伸び続ける。その時、システムは、ポケット、すなわちスクリーンに亘って水平張力を伝達している。この水平張力を維持することによって、スクリーンがそれぞれ上がったり下がったりするときに格納式ローマンブラインドの正確なプリーツ折り動作及び伸長動作を確実にすることができる。より具体的には、この張力により形成された剛性が、柔軟なファブリック素材の不規則なプリーツ又は折り目がつくことを実質的に防止する。
【００４０】
図４Ａ及び４Ｂは、本考案の別実施形態のスクリーンテンション機構２００を示す。スクリーンテンション機構２００は、図１Ａから３Ｂに関して説明したものと同様の構造を含む。より具体的には、機構２００は、ヘッド部２０４及びテール部２０６を有する突出部材２０２を備える。テール部２０６は、ヘッド部２０４から延びると共に互いにほぼ平行である２つの弾性変形可能なレッグ２０８を含む。機構２００は、第１開口２１４及び第２開口２１２を含むハウジング部材２１０をさらに備える。第１開口２１４は、支持ロッド（図示せず）の端部を受けるように構成されている。第２開口２１２は、突出部材２０２のレッグ２０８を強制的に（又は、押圧して）受け取るとともに内方に偏向させるように構成されたテーパー状内部形状を有する。
【００４１】
ハウジング部材２１０のテーパー状内部形状は、螺旋構造を含む。突出部材２０２がハウジング部材２１０内にスライド式に挿入されるとき、レッグ２０８がハウジング部材２１０の内部螺旋表面２１６に係合する。使用者によってより大きな力が突出部材２０２に付加されると、弾性変形可能なレッグ２０８は、それらが螺旋表面２１６に係合するように、内方に偏向されるとともに捻られる。突出部材２０２は、テール部２０６の縦断面に沿って一対のリッジ２３０をさらに含む。これらリッジ２３０は、ハウジング部材２１０の内面の対応する溝（図示せず）に係合し、突出部材２０２の回転を実質的に防止する。
【００４２】
使用者によって突出部材２０２に付加された力が引っ込められると、レッグ２０８の弾性が付勢力を突出部材２０２に適用し、ヘッド部２０４が張力をスクリーンのファブリックポケットに伝達することを可能にする。
【００４３】
図５Ａ及び５Ｂは、本考案の別実施形態によるスクリーンテンション機構３００を示す。スクリーンテンション機構３００は、図１Ａから３Ｂに関して説明したものと同様の構造を含む。より具体的には、機構３００は、ヘッド部３０４及びテール部３０６を有する突出部材３０２を備える。テール部３０６は、ヘッド部３０４から延びる２つの弾性変形可能なレッグ３０８を含む。レッグ３０８は、使用中レッグ３０８の（力のズレにより）妨げられない移動を助けるように、互いからオフセットして配置される。機構３００は、第１開口３１４及び第２開口３１２を含むハウジング部材３１０をさらに備える。第１開口３１４は、支持ロッド（図示せず）の端部を受けるように構成されている。第２開口３１２は、突出部材３０２のレッグ３０８を強制的に（又は、押圧して）受け取るとともに内方に偏向させるように構成されたテーパー状内部形状を有する。
【００４４】
ハウジング部材３１０のテーパー状内部形状は、対向構造で配置される２つの傾斜（角度がついた）内面３１６を含む。突出部材３０２がハウジング部材３１０内にスライド式に挿入されるとき、レッグ３０８の各々が、ハウジング部材３１０の傾斜内面３１６の１つに係合する。より大きい力が使用者によって突出部材３０２に付加されると、弾性変形可能なレッグ３０８は、それらが傾斜内面３１６にスライド式に係合するように、内方に偏向される。これらオフセットした位置決めにより、レッグ同士の接触は避けられるが、傾斜内面３１６の構成によってレッグ３０８は互いに向かって内方に偏向する。突出部材３０２は、テール部３０６の断面に沿って一対のリッジ（図示せず）をさらに含む。これらリッジは、ハウジング部材３１０の内面の対応する溝（図示せず）に係合し、突出部材３０２の回転を実質的に防止する。使用者によって突出部材３０２に付加された力が後退すると、レッグ３０８の弾性が突出部材３０２に付勢を適用し、ヘッド部３０４がスクリーンのファブリックポケットに張力を伝達することを可能にする。
【００４５】
図６Ａ及び６Ｂは、本考案の別実施形態のスクリーンテンション機構４００を示す。スクリーンテンション機構４００は、図１Ａから３Ｂに関して説明したものと同様の構造を含む。より具体的には、機構４００は、ヘッド部４０４及び弾性変形可能なテール部４０６を有する突出部材４０２を備える。ヘッド部４０４は、ローマンブラインドのファブリックポケット内の機構４００の効率的な動作を助けるように、丸形端を有する。図６Ａ及び６Ｂの機構４００の断面図を図８Ａ及び８Ｂに示す。機構４００すなわちヘッド部４０４が、ブラインドのスクリーンに張力を伝達するように構成されているので、ヘッド部４０４の丸形端は、使用時に、ブラインドに美しい外観を提供する。さらに、ヘッド部４０４の丸形端は、ファブリックポケットが張力の結果として裂ける可能性を最小化する。
【００４６】
テール部４０６は、例えば、ストリップスチール（圧延鋼板）などの所定長の弾性変形可能な材料から形成され、２つの弾性変形可能なレッグ４０８を含む。テール部４０６は、アタッチメント（取り付け）部４２０によってヘッド部４０４に脱着可能に取り付けられている。アタッチメント部４２０は、ヘッド部４０４の基部で支持部材４２２の周りに巻くように構成されている。テール部４０６をヘッド部４０４に取り付けるために、テール部４０６のレッグ４０８が（使用者による力の付加によって）同時に引っ張られて、アタッチメント部４２０が支持部材４２２上に配置されることを可能にする。アタッチメント部４２０に近接するレッグ４０８の一部が、ヘッド部４０４の側面の開口４２４を通過する。アタッチメント部４２０が支持部材４２２の所定位置にあると、材料の弾性がレッグ４０８を分離するように、レッグ４０８に付加される力を後退させることが可能である。テール部４０６は、開口４２４上の突出部４２６の保持に対するレッグ４０８の土台によってヘッド部４０４の所定位置に保持され、アタッチメント部４２０が支持部材４２２から滑り落ちることを防止する。ヘッド部４０４からのテール部４０６の離脱は、これらステップの逆を実行することにより達成可能である。
【００４７】
機構４００は、第１開口４１４及び第２開口４１２を含むハウジング部材４００をさらに備える。第１開口４１４は、支持ロッド（図示せず）の端部をうけるように構成される。本考案のこの特定の実施形態では、第１開口４１４は、円形支持ロッドを受けるように構成されている。しかしながら、支持ロッドの他の形状を第１開口４１４の適切な適合に使用可能であることを理解すべきである。本考案の実施形態は、６ｍｍ及び８ｍｍの直径を有する支持ロッドに対応するように、様々な寸法のハウジング部材４１０、特には第１開口４１４を想定する。しかしながら、他の寸法もまた適切であることを理解すべきである。好適には、支持ロッドは、軽金属、プラスチック又は木材から形成され、テンション機構の使用時に高い水平剛性をスクリーンに提供可能である。突出部材４０２と同様にハウジング部材４１０は、好ましくは、射出成形技術を使用して塑性材料から製造される。
【００４８】
ハウジング部材４１０の第２開口４１２は、突出部材４０２のレッグ４０８を強制的に（又は、押圧して）受け取るとともに内方に偏向させるように構成されたテーパー状内部形状を有する。ハウジング部材４１０の第２開口４１２へのテール部４０６の挿入は、図７Ａ及び７Ｂに示すとおり、使用者による力の付加を必要とする。テール部４０６すなわちレッグ４０８が第２開口４１２内にスライド式に挿入されると、レッグ４０８がハウジング部材４１０のテーパー状内部形状に係合する。このテーパー状内部形状は、互いに対して集束すると共に所定の角度分離を有する、対向内面４１６からなる。使用者が突出部材４０２に力を付加し続けると、弾性変形可能なレッグ４０８の対の対向内面４１６への係合により、レッグ４０８が曲げられると共に内方に偏向されて、テール部４０６がハウジング部材４１０内にさらに挿入される。
【００４９】
対の対向内面４１６によってレッグ４０８が内方に偏向されるとき、レッグ４０８の弾性が支持ロッドから軸方向外側に突出部材４０２を付勢する。この付勢が、ヘッド部４０４が張力をスクリーンのファブリックポケットに伝達することを可能にする。
【００５０】
対の対向内面４１６は、所定の角度分離として約１７度を有する。しかしながら、別の角度分離も可用且つ適切であることを理解すべきである。対向内面４１６の分離角度が大きいほど、ハウジング部材４１０内にレッグ４０８を挿入し偏向することに必要な力が大きい。したがって、当然、より大きな力がテール部４０６を挿入することに必要である場合、より大きい付勢力が突出部材４０２のヘッド部４０４に実質的に伝達される。
【００５１】
上述したスクリーンテンション機構１００とは異なり、本考案のこの別実施形態にて説明した機構４００では、ハウジング部材４１０は、ただ一対の対向内面４１６が存在するので、ただ１つの突出部材４０２の配向を可能にする。１対の対向内面４１６を使用して２以上の異なる張力を達成するために、テール部４０６に使用される弾性変形可能な材料の強度を変化させることができる。例えば、テール部４０６は、厚さ０．４ｍｍ〜０．５ｍｍ（又は任意な同様の厚さ）を有するストリップスチールから製造可能であり、２以上の異なる張力を達成する。いずれにせよ、図７Ａ及び７Ｂに示すとおり、テール部４０６がハウジング部材４１０内に挿入されるときに、レッグ４０８が対向内面４１６対に係合する。
【００５２】
所望のテンション配向に突出部材４０２を（すなわち、ハウジング部材４１０内の突出部材４０２の回転の防止するように）配置することを助けるように、尚かつ、対向内面４１６へのレッグ４０８の係合を維持するように、第２開口４１２は、一対の対向する長手スロット４３０をさらに含む。スロット４３０のうちの少なくとも１つ（好ましくはスロット４３０の両方）は、突出部材４０２の外面に位置する突起４２８をスライド式に受けるように構成される。好ましくは、突起４２８は、長手スロット４３０のそれぞれに受容される。
【００５３】
テール部４０６すなわちレッグ４０８が第２開口４１２内に挿入されると、スロット４３０のうちの少なくとも１つが、突起４２８をスライド式に受け取り、使用時に突出部材４０２の回転を実質的に防止する。突出部材４０２を所望のテンション配向に維持することを確実にすることによって、突出部材４０２の回転を防止することで定常的な付勢すなわち張力を維持することが可能である。
【００５４】
使用者は、レッグ４０８の末端がハウジング部材４１０の内壁４４０に係合する地点まで、あるいは、ヘッド部４０４がハウジング部材４１０に係合及び隣接するまで、ハウジング部材４１０内にテール部４０６を押し込むことが可能である。挿入力が使用者によって引っ込められると、図８Ｂの矢印で示されるように、突出部材４０２に適用された付勢力が、突出部材４０２をハウジング部材４１０から後退させる。レッグ４０８が対向内面４１６によって偏向されなくなる時まで、ハウジング部材４１０からの突出部材４０２の移動又は押し出しが継続する。
【００５５】
図７Ａ及び７Ｂに示すとおり、突出部材４０２がハウジング部材４１０から押し出されることを防止するために、機構４００は、スロット４３０の少なくとも１つに係合する突起４２８上に当接面４３２を備える。突出部材４０２が製造される塑性材料の柔軟性により、突出部材４０２及び少なくとも１つの突起部４２８を、それをハウジング部材４１０内に挿入するときに、第２開口４１２を通して押圧することを可能にする。突起４２８の当接面４３２と少なくとも１つのスロット４３０との係合は、突出部材４０２がハウジング部材４１０から離脱することを防ぎ、且つ、設置工程で使用者を補助する。
【００５６】
「備える」及び「含む」という言葉は、明細書では特徴、整数、ステップ、構成要素を特定することに使用されているが、別の特徴、整数、ステップ、構成要素又はその群の存在又は追加を妨げるものではない。
【００５７】
本考案の本質的な特徴から離れることなく様々な形態に本考案を具現化可能であるが、
説明した実施形態は、本考案を限定すると見なすのではなく、むしろ、より広く解釈されるべきである。様々な改変、改善及び等価な構成が本考案の技術的範囲に含まれることは、当業者にとって明らかである。
【図１Ａ】
0003171835.tif 000003
【図１Ｂ】
0003171835.tif 000004
【図２Ａ】
0003171835.tif 000005
【図２Ｂ】
0003171835.tif 000006
【図３Ａ】
0003171835.tif 000007
【図３Ｂ】
0003171835.tif 000008
【図３Ｃ】
0003171835.tif 000009
【図４Ａ】
0003171835.tif 000010
【図５Ａ】
0003171835.tif 000011
【図６Ａ】
0003171835.tif 000012
【図６Ｂ】
0003171835.tif 000013
【図７Ａ】
0003171835.tif 000014
【図７Ｂ】
0003171835.tif 000015
【図８Ａ】
0003171835.tif 000016
【図８Ｂ】
0003171835.tif 000017
【図４Ｂ】
0003171835.tif 000018
【図５Ｂ】
0003171835.tif 000019